(57)【要約】      （修正有）【課題】ブランケット胴に対してより確実に固定することができるブランケットを提供する。【解決手段】金属板１０の一面に、その両端部１１を除いてブランケットシート１２を被覆しており、両端部１１を輪転印刷機のブランケット胴２０の拘束溝２１に挿入して装着するブランケットＢにおいて、両端部１１の少なくとも一方に、一側又は他側に膨出する膨出部１３ａを設けた。【選択図】図１
0003144789.tif 000002
【実用新案登録請求の範囲】
【請求項１】
金属板の一面に、その両端部を除いてブランケットシートを被覆しており、前記両端部を輪転印刷機のブランケット胴の拘束溝に挿入して装着するブランケットであって、
前記両端部の少なくとも一方に、一側又は他側に膨出する膨出部を設けたブランケット。
【請求項２】
前記両端部の一方に第１の膨出部を設け、前記両端部の他方に前記第１の膨出部に嵌合する第２の膨出部を設けた請求項１に記載のブランケット。
【考案の詳細な説明】
【技術分野】
【０００１】
本考案は、輪転印刷機のブランケット胴に巻き付けて使用されるブランケットに関する。
【背景技術】
【０００２】
新聞などの印刷に使用される輪転印刷機においては、ブランケット胴の外周面に巻き付けたブランケットに、ブランケット胴に対向して配置した版胴からインキを転写し、転写されたインキを走行紙に転写して印刷を行っている。
【０００３】
かかるブランケットとしては、近年、図４に示すように、金属板１０の一面に、その両端部１１（くわえ側１１ａ及びくわえ尻側１１ｂ）を除いてブランケットシート１２を被覆した、いわゆるメタルブランケットＢが多用されるようになってきた。
【０００４】
このメタルブランケットＢは、使用時にはブランケット胴に巻き付け、その両端部１１（くわえ側１１ａ及びくわえ尻側１１ｂ）をブランケット胴の拘束溝に挿入し、ブランケット胴内に配置されているブランケット固定装置により固定する（例えば特許文献１，２参照）。そのため、メタルブランケットＢの両端部１１（くわえ側１１ａ及びくわえ尻側１１ｂ）は、ブランケット胴に巻き付ける前に、図４に示すような形状に曲げ加工される。
【０００５】
このような曲げ加工及び固定装置による固定は、刷版においても行われており、刷版の場合、版胴に巻き付けてその両端部を固定装置で固定すれば確実に固定することができる。しかし、メタルブランケットは刷版に比べかなりの重量があるため、ブランケット胴の回転に伴い大きな遠心力が作用する。したがって、ブランケット固定装置による固定のみでは不十分なことがあり、結果として、メタルブランケットがブランケット胴からずれたり浮いたりすることがあり、印刷不良の原因となっていた。
【特許文献１】特開２００２−１９０７９号公報
【特許文献２】特開平９−９９５４３号公報
【考案の開示】
【考案が解決しようとする課題】
【０００６】
本考案が解決しようとする課題は、ブランケット胴に対してより確実に固定することができるブランケットを提供することにある。
【課題を解決するための手段】
【０００７】
本考案は、輪転印刷機のブランケット胴の拘束溝に挿入して装着するブランケットであって、前記両端部の少なくとも一方に、一側又は他側（両端部の曲げ加工後においては内側又は外側）に膨出する膨出部を設けたことを特徴とするものである。
【０００８】
本考案においては、前記両端部の一方に第１の膨出部を設け、前記両端部の他方に前記第１の膨出部に嵌合する第２の膨出部を設けることもできる。
【考案の効果】
【０００９】
本考案においては、ブランケット胴の拘束溝に挿入されるブランケット両端部の少なくとも一方に膨出部を設けたことで、拘束溝に挿入されたブランケットの両端部間に膨出部を介してスプリング力あるいは係合力を作用させることができるので、ブランケットをブランケット胴に対してより確実に固定することができる。
【００１０】
また、ブランケットの両端部のそれぞれに、相互に嵌合する膨出部を設けることで、ブランケットの両端部間の係合力を強化することができる。
【考案を実施するための最良の形態】
【００１１】
以下、図面に示す実施例に基づき本考案の実施の形態を説明する。
【００１２】
図１は本考案のブランケットを示し、（ａ）は正面図、（ｂ）は下から見た斜視図、（ｃ）は使用状態の断面図である。なお、図１（ａ），（ｂ）においては、ブランケットの両端部を曲げ加工した後の状態を示している。
【００１３】
本考案のブランケットＢは、いわゆるメタルブランケットであって、金属板１０の一面に、その両端部１１を除いてゴム状のブランケットシート１２を被覆したものである。ゴム状のブランケットシート１２は、通常、複数の基布層と表面ゴム層とを備えてなり、基布層と表面ゴム層との間に発泡材などの圧縮性材料からなる圧縮層が設けられる場合もある。金属板１０としては、アルミニウム板、ステンレス鋼板などが使用される。
【００１４】
図１の例においては、両端部１１のうちくわえ側１１ａに、外側に向けて曲面状に膨出する膨出部１３ａを全長にわたって設けている。
【００１５】
このブランケットＢは、使用時には図１（ｃ）に示すように、ブランケット胴２０に巻き付け、その両端部１１（くわえ側１１ａ及びくわえ尻側１１ｂ）をブランケット胴２０の拘束溝２１に挿入し、ブランケット胴２０内に配置されているブランケット固定装置３０により固定する。このとき、ブランケット固定装置３０の押さえバー３１によって、両端部１１（くわえ側１１ａ及びくわえ尻側１１ｂ）の重なった部分の膨出部１３ａに対応する部分を押圧することで、膨出部１３ａのスプリング力により押し付け力が増加して強固に固定することができる。
【００１６】
図２は本考案のブランケットの他の例を示し、（ａ）は正面図、（ｂ），（ｃ）は使用状態の断面図である。図２の例では、ブランケットＢの両端部１１のくわえ側１１ａに、内側に向けて曲面状に膨出する膨出部１３ａを全長にわたって設けるとともに、ブランケットＢの両端部１１のくわえ尻側１１ｂに、外側に向けて曲面状に膨出する膨出部１３ｂを全長にわたって設けている。
【００１７】
この膨出部１３ａと膨出部１３ｂは、使用時には、図２（ｂ）に示すように相互に凹凸嵌合する。そして、膨出部１３ａと膨出部１３ｂとが嵌合して重なった部分の凹側をブランケット固定装置３０の押さえバー３１によって押圧することで強固に固定するようにしている。
【００１８】
なお、図２（ｃ）は、拘束溝２１の壁面に凹部２１ａを形成し、この凹部２１ａに膨出部１３ａを嵌合させた例である。
【００１９】
図３は、膨出部の他の形状例を示す。図１及び図２に示した例のほか、全長にわたって外側に膨出した断面三角形の膨出部１３ａ（図３（ａ））、間隔をおいて形成した外側に膨出した膨出部１３ａ（図３（ｂ））、山形に形成した膨出部１３ａ（図３（ｃ））、間隔をおいて形成した複数の長い膨出部１３ａ（図３（ｄ））とすることができる。
【図面の簡単な説明】
【００２０】
【図１】本考案のブランケットを示し、（ａ）は正面図、（ｂ）は下から見た斜視図、（ｃ）は使用状態の断面図である。
【図２】本考案のブランケットの他の例を示し、（ａ）は正面図、（ｂ），（ｃ）は使用状態の断面図である。
【図３】本考案のブランケットにおける膨出部の他の形状例を示す。
【図４】従来のブランケットを示す。
【符号の説明】
【００２１】
１０  金属板
１１  両端部
１１ａ  くわえ側の端部
１１ｂ  くわえ尻側の端部
１２  ブランケットシート
１３ａ，１３ｂ  膨出部
２０  ブランケット胴
２１  拘束溝
３０  ブランケット固定装置
３１  押さえバー
Ｂ  ブランケット（メタルブランケット）
【図１】
0003144789.tif 000003
【図２】
0003144789.tif 000004
【図３】
0003144789.tif 000005
【図４】
0003144789.tif 000006